(57)【要約】【課題】  取付け及び取替えが容易な、電子装置の冷却ファンのためのフィルタユニットを提供する。【解決手段】  フィルタユニット１０は、フィルタ布２０を供給する供給ロール１１とフィルタ布２０を巻き取る巻取りロール１２と、双方のロール１１、１２を一体的に結合するフレーム部材１３とを有する。フレーム部材１３は、対向する縁部にスライド部材１５を有し、スライド部材１５が電子装置のシェルフ２１の下部に取り付けられたレール部材２４上でスライドすることにより、冷却ファンの下方に取り付けられる。電子装置は、シェルフ単位で通信装置の筐体内に収容され、縦積みされる。【選択図】  図１
2006159026.tif 000002
【特許請求の範囲】
【請求項１】
フィルタを供給する供給ロールと、該供給ロールから供給されるフィルタを巻き取る巻取りロールと、前記供給ロールと前記巻取りロールとを一体的に結合するフレーム部材とを備えるフィルタユニットにおいて、
前記フレーム部材は、前記供給ロール及び巻取りロールを含む矩形領域の外縁部に隣接して相互に平行に延びる一対のスライド部材を含み、該スライド部材を介してスライド自在に取付け可能であることを特徴とするフィルタユニット。
【請求項２】
前記フレーム部材は、前記供給ロール及び巻取りロールにそれぞれ隣接して延び且つ前記スライド部材に直交する一対のフレーム部分と、該一対のフレーム部分を結合する複数の結合部材とを更に含み、前記フィルタは、前記供給ルールから前記巻取りロールに向かって前記複数の結合部材に沿って供給される、請求項１に記載のフィルタユニット。
【請求項３】
前記スライド部材、一対のフレーム部分及び結合部材が、実質的に同一の平面内に配設される、請求項２に記載のフィルタユニット。
【請求項４】
前記供給ロール及び巻取りロールは、前記スライド部材から延長するロール支持部によって支持される、請求項３に記載のフィルタユニット。
【請求項５】
電子部品を支持するシェルフと、該シェルフに支持され前記電子部品を冷却する冷却ファンと、該冷却ファンの吸気側に配設され前記シェルフに支持されたフィルタユニットとを備える電子装置において、
前記フィルタユニットは、フィルタを供給する供給ロールと、該供給ロールから供給されるフィルタを巻き取る巻取りロールと、前記供給ロールと前記巻取りロールとを一体的に結合するフレーム部材とを備え、該フレーム部材は、前記供給ロール及び巻取りロールを含む矩形領域の外縁部に隣接して相互に平行に延びる一対のスライド部材を含み、
前記シェルフは、前記冷却ファンに隣接して相互に平行に延びる一対のレール部材を備え、
前記フィルタユニットは、前記スライド部材と前記レール部材とのスライド接触を介して、スライド自在に前記シェルフに取付け可能であることを特徴とする電子装置。
【請求項６】
前記フレーム部材は、前記供給ロール及び巻取りロールにそれぞれ隣接して延び且つ前記スライド部材に直交する一対のフレーム部分と、該一対のフレーム部分を結合する複数の結合部材とを更に含み、前記フィルタは、前記供給ルールから前記巻取りロールに向かって前記複数の結合部材に沿って供給される、請求項５に記載の電子装置。
【請求項７】
前記スライド部材、一対のフレーム部分及び結合部材が、実質的に同一の平面内に配設される、請求項６に記載の電子装置。
【請求項８】
前記供給ロール及び巻取りロールは、前記スライド部材から延長するロール支持部によって支持される、請求項７に記載の電子装置。
【請求項９】
請求項５〜８に記載の電子装置を複数備え、該複数の電子装置が縦積みに配設されて筐体内に収容されることを特徴とする通信装置。
【発明の詳細な説明】
【技術分野】
【０００１】
本発明は、フィルタユニット、電子装置及び通信装置に関し、更に詳しくは、電子装置の空気冷却に際して空気中の塵埃の除去に好適に使用でき、取扱い及び交換が容易なフィルタユニット、並びに、該フィルタユニットを備える電子装置及び通信装置に関する。
【背景技術】
【０００２】
屋内に設置される通信機器は、一般に、シェルフ単位の電子装置が筐体内に縦積みされて実装される。図３（ａ）及び（ｂ）はそれぞれ、典型的な従来の通信装置の正面図及び側面図を示している。通信装置３０を構成する各電子装置３１は、図示のように、シェルフ内に立てて配設された多数のカード型電子回路３３を有しており、シェルフ単位で通信装置３０の筐体３２内に実装される。
【０００３】
図４（ａ）は、上記通信装置３０に実装される各電子装置３１の一例を、内部のカード型電子回路３３の多くを除いて斜視図で示している。電子装置３１は、直方体形状の枠組を有し、前面、上面及び下面がそれぞれ開放するシェルフ３７と、シェルフ３７のガイドレール３４上に配設されており、機能部品を構成するカード型電子回路３３と、ガイドレール３４の下部にアレイ状に配設される複数のファンユニット３５と、ファンユニット３５の吸気側に配設されるエアフィルタ３６とを備える。ガイドレール３４に沿って各カード型電子回路３３がシェルフ３７内に挿入されることにより、カード型電子回路３３の後部コネクタと、シェルフ３７の後面に配設されたコネクタとが嵌合して、電気的接続が行われる。
【０００４】
図４（ｂ）は、上記電子装置３１の空気流を、電子装置３１の断面図で模式的に示している。各ファンユニット３５は、ガイドレール３４の下方からエアフィルタ３６を通して清浄なエアを吸気し、カード型電子回路３３を冷却した後に、そのエアをシェルフ３７の上部に形成された排気開口を経由して外部に排気する。
【０００５】
上記通信装置３０のエアフィルタ３６は、長期にわたってファンユニット３５が稼動すると、フィルタ３６上に塵埃が蓄積され、ファンユニット３５の吸気量を低下させる。吸気量の低下を防止し、電子装置３１における冷却能力が不足にならないように、エアフィルタ３６の清掃または交換が必要である。例えば、ファンユニット３５の一部の回転数をモニタし、その回転数をホストセンターに通知し、保守作業者が、その通知に従って現場に赴き、エアフィルタ３６をシェルフ３７から取り外して、その清掃又は交換を行う。
【０００６】
上記従来のエアフィルタ３６は、フィルタの交換又は清掃を、専門の保守作業者が現場に赴いて行う必要があり、交換や清掃に必要な作業工数が大きいという問題があった。
【０００７】
特許文献１には、上記通信装置などの電子装置を冷却する冷却ファンのためのエアフィルタが、フィルタを供給する供給ロール及びそのフィルタを巻き取る巻取りロールとにより構成される旨が記載されている。このエアフィルタでは、電子装置を通過する空気流の風速が低下すると、その低下を検知し、巻取りロールで所定量のフィルタを自動的に巻取り、これによって新たなフィルタ部分を介して、電子装置に清浄な空気を必要な風量で供給する。
【特許文献１】特開平６−２４６１２０号公報（図１）
【発明の開示】
【発明が解決しようとする課題】
【０００８】
上記公報に記載のエアフィルタでは、供給ロールからフィルタが供給される限りは、単に巻取りロールによって所定量のフィルタを巻き取ることで、新たなフィルタ部分が使用でき、保守に要する作業工数が低減できる。しかし、供給ロールに巻かれたフィルタの残量がなくなると、その取替えが必要である。縦積みされた電子装置を有する通信装置では、その構造のために、取替えに多くの作業工数が必要になる。
【０００９】
また、前記公報には、既設の電子装置のエアフィルタを取り外し、該公報に記載の新たなフィルタに交換する際に好適な構造については、記載がない。
【００１０】
本発明は、上記に鑑み、縦積みされた電子装置を有する通信装置に使用して特に好適なフィルタユニットであって、ロールに巻回されたフィルタ材を有するエアフィルタを交換するにあたって、特に取付け及び取り外しが容易なため、交換に要する工数が削減可能な一体構造のフィルタユニットを提供することを目的とする。
【００１１】
また、本発明は、既設の電子装置等に付属する従来のエアフィルタを取り外し、これを新たなフィルタユニットに交換するにあたって、特に交換が容易な構造を有するフィルタユニットを提供することを目的とする。
【課題を解決するための手段】
【００１２】
上記目的を達成するために、本発明のフィルタユニットは、フィルタを供給する供給ロールと、該供給ロールから供給されるフィルタを巻き取る巻取りロールと、前記供給ロールと前記巻取りロールとを一体的に結合するフレーム部材とを備えるフィルタユニットにおいて、
前記フレーム部材は、前記供給ロール及び巻取りロールを含む矩形領域の外縁部に隣接して相互に平行に延びる一対のスライド部材を含み、該スライド部材を介してスライド自在に取付け可能であることを特徴とする。
【００１３】
また、本発明の電子装置は、電子部品を支持するシェルフと、該シェルフに支持され前記電子部品を冷却する冷却ファンと、該冷却ファンの吸気側に配設され前記シェルフに支持されたフィルタユニットとを備える電子装置において、
前記フィルタユニットは、フィルタを供給する供給ロールと、該供給ロールから供給されるフィルタを巻き取る巻取りロールと、前記供給ロールと前記巻取りロールとを一体的に結合するフレーム部材とを備え、該フレーム部材は、前記供給ロール及び巻取りロールを含む矩形領域の外縁部に隣接して相互に平行に延びる一対のスライド部材を含み、
前記シェルフは、前記冷却ファンに隣接して相互に平行に延びる一対のレール部材を備え、
前記フィルタユニットは、前記スライド部材と前記レール部材とのスライド接触を介して、スライド自在に前記シェルフに取付け可能であることを特徴とする。
【００１４】
更に、本発明の通信装置は、上記本発明の電子装置を複数備え、該複数の電子装置が縦積みに配設されて筐体に支持されることを特徴とする。
【発明の効果】
【００１５】
本発明のフィルタユニット及び本発明の電子装置では、フィルタユニットを取り付ける際または取り外す際に、スライド部材を利用してフィルタユニットをスライドさせて取付けまたは取外しができ、取付け及び取外しが特に容易なため、フィルタユニットの交換に要する作業工数が削減できる。この場合、フィルタユニットに対して特別な知識を有しない保守作業員であっても、容易に取扱いが可能である。
【００１６】
また、既設の従来のエアフィルタから新たに本発明のフィルタユニットに交換する際にも、従来のエアフィルタがスライド可能に取り付けられている場合には、その交換が容易に行われる。
【００１７】
本発明の通信装置は、複数の電子装置を段積みにして筐体内に備える通信装置に適用すると、レール部材及びスライド部材を利用して、フィルタユニットのスライド移動を行うことにより、通信装置の保守スペースが特に小さくできる。
【００１８】
本発明のフィルタユニット及び電子装置の好ましい態様では、前記フレーム部材は、前記供給ロール及び巻取りロールにそれぞれ隣接して延び且つ前記スライド部材に直交する一対のフレーム部分と、該一対のフレーム部分を結合する複数の結合部材とを更に含み、前記フィルタは、前記供給ルールから前記巻取りロールに向かって前記複数の結合部材に沿って供給される。この場合、供給ロールから巻取りロールに供給されるフィルタの移動がフレーム部材によって規制される。
【００１９】
また、前記スライド部材、一対のフレーム部分及び結合部材が、実質的に同一の平面内に配設されることも本発明の好ましい態様である。この場合、フレーム部材の形状がコンパクトとなり、且つ、電子装置のシェルフに取り付ける際に、その取付が容易である。
【００２０】
また、前記供給ロール及び巻取りロールが、前記スライド部材から延長するロール支持部によって支持されることも本発明の好ましい態様である。この場合、フレーム部材の構成が特に簡素となる。
【発明を実施するための最良の形態】
【００２１】
以下、図面を参照し本発明の実施形態に基づいて本発明を更に詳細に説明する。図１（ａ）は、本発明の一実施形態に係るフィルタユニット１０の斜視図である。また、図１（ｂ）は、同フィルタユニット１０を電子装置のシェルフのレール部材に取り付けて示す斜視図である。フィルタユニット１０は、フィルタ布（フィルタ材）２０を供給する供給ロール１１と、フィルタ布２０を巻き取る巻取りロール１２と、これら供給ロール１１及び巻取りロール１２を一体的に結合するフレーム部材１３とから構成される。
【００２２】
フレーム部材１３は、全体として矩形状に形成された金属材料または樹脂成型品から成り、フィルタ布２０の上部及び下部にそれぞれ配置される同型状の枠組を有しており、これら枠組でフィルタ布２０をスライド可能に挟んでいる。上下の各枠組はそれぞれ、各ロール１１、１２に隣接して延びる、矩形の一対の長辺を構成するフレーム部分１４、１４Ａと、ロール１１、１２の両端よりも外側に、ロール１１、１２と直交方向に延びる、矩形の一対の短辺を構成するスライド部材１５、１５Ａと、フィルタ布２０が供給される方向に延び、一対のフレーム部分１４、１４Ａを相互に結合すると共に、供給されるフィルタ布２０を押さえる複数のフィルタ布支持片１６、１６Ａとを有する。フレーム部材１３は、更に、下側の枠組のスライド部材１５から延長し各ロール１１、１２の回転軸を一体的に結合して支持するロール支持部１７と、供給ロール１１の両端部に隣接して配設される把手１８と、把手１８に隣接し上下双方の枠組を結合する図示しない一対の結合部材とを含む。この結合部材は、電子装置に挿入される際のストッパを兼ねている。
【００２３】
上記構成により、フレーム部材１３は、供給ロール１１と巻取りロール１２とを一体的に結合する構造部材としての機能に加えて、供給ロール１１から巻取りロール１２に向けて供給されるフィルタ布２０をスライド可能に支持するフィルタ布支持機能と、フィルタユニット１０を、電子装置を収容するシェルフ２１に取り付けるためのユニット支持機能とを有する。巻取りロール１２には、図示しない巻取り用ハンドルが付属している。フィルタ布２０に塵埃が付着し、フィルタユニット１０から供給される空気量が減少すると、保守員により一定量のフィルタ布２０が巻き取られ、新しいフィルタ布２０の面がフィルタ布支持片１６、１６Ａの間に供給される。
【００２４】
スライド部材１５、１５Ａは、供給ロール１１及び巻取りロール１２の回転軸の両端よりも外側に、フィルタ布２０を挟んで相互に対向して配置される。一方のスライド部材１５から延長し供給ロール１１及び巻取りロール１２を支持するロール支持部１７は、スライド部材１５の幅方向中心付近から供給ロール１１の回転軸に延びている。上記構成によって、スライド部材１５の外縁部を、例えば巻取りロール１２を先頭にして、フィルタ布２０の挿入方向に沿ってフィルタユニット１０を挿入することにより、シェルフ２１下部の一対のレール部材２４上に支持される。
【００２５】
図２は、上記実施形態のフィルタユニットを、既設の電子装置に付属するエアフィルタに代えて取り付ける様子を示すもので、同図（ａ）は既設のエアフィルタを取り外した様子を、同図（ｂ）は上記実施形態のフィルタユニット１０を挿入する様子をそれぞれ示している。電子装置は、シェルフ２１と、複数の基板に取り付けられシェルフ２１内に収容された図示しないカード型電子回路と、カード型電子回路を支持するガイドレールの下部に、シェルフ２１に支持された複数のファンユニット２３とを有する。シェルフ２１には、ファンユニット支持部材２２を越えてシェルフ２１の側板から延びる延長部分に固定された一対のレール部材２４が、ファンユニット２３の下方に且つファンユニット２３を挟んで相互に対向して配置されている。既設のエアフィルタ２５の外枠２６は、一対のレール部材２４の上面とファンユニット支持部材２２の下面との間に挿入され、また引抜きが可能である。
【００２６】
図２（ｂ）に示すように、既設のエアフィルタ２５を引き抜いた後に、上記実施形態のフィルタユニット１０が既設のエアフィルタ２５と同様な方法で挿入される。挿入に際しては、供給ロール１１に隣接して配置された一対の把手１８が利用される。挿入の際には、上下の枠組を結合する結合部材が、ストッパとして機能する。なお、把手１８を上下双方の枠組から延長して、これにストッパの機能を持たしても良い。
【００２７】
上記実施形態では、フィルタ布２０の巻取りは、保守作業員が手動で行う例を挙げたが、例えば、ファンの回転数を計測し、フィルタ布２０に付着した塵埃によってファンの回転数が所定量変化した場合に、一定量のフィルタ布２０を自動的に巻き取る構成も採用できる。この場合、特に保守点検の作業工数が削減できる。
【００２８】
上記実施形態では、スライド部材１５、１５Ａ及びフィルタ布支持片１６、１６Ａが供給ロール１１及び巻取りロール１２と直交方向に延びる例を示した。この構成によると、フィルタ布支持片１６、１６Ａが、フィルタ布２０の供給方向に配設されるので、フィルタ布２９の支持が良好である。しかし、スライド部材１５、１５Ａを供給ロール１１及び巻取りロール１２と平行方向に配設することもできる。また、ファンユニット２３が複数配設される例を挙げたが、冷却ファンは、１以上で任意の台数が配置可能である。また、フレーム部材１３の枠組をフィルタ布２０の上下の双方に設けた例を示したが、フィルタ布２０の上側または下側の一方にのみ配置しても良い。この場合、構成がより簡素になる。特に、フィルタ布２０の下側に枠組を設けることが、フィルタ布２０の支持の観点からは好ましい。
【００２９】
なお、本発明のフィルタユニットは、電子装置を段積みした屋内用の通信装置のために特に好適に使用できるが、これに限らず、種々の用途に、また、既設のエアフィルタに置き換えて使用可能である。供給ロールから供給されるフィルタ材には、通常の布に限らず、可撓性を有する限り、不織布やフィルム、紙など、種々の材料で形成されたフィルタ材が含まれる。
【００３０】
以上、本発明をその好適な実施態様に基づいて説明したが、本発明のフィルタユニット、電子装置及び通信装置は、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【図面の簡単な説明】
【００３１】
【図１】（ａ）は、本発明の一実施形態に係るフィルタユニットの斜視図、（ｂ）はフィルタユニットを電子装置に取り付けた状態で示す斜視図。
【図２】（ａ）は、電子装置から既設のエアフィルタを取り外す様子を示す斜視図、（ｂ）は電子装置に実施形態のフィルタユニットを取り付ける様子を示す斜視図。
【図３】（ａ）及び（ｂ）はそれぞれ、従来の通信装置の正面図及び側面図。
【図４】（ａ）及び（ｂ）はそれぞれ、図３における電子装置の斜視図及び模式的断面図。
【符号の説明】
【００３２】
１０：フィルタユニット
１１：供給ロール
１２：巻取りロール
１３：フレーム部材
１４、１４Ａ：フレーム部分
１５、１５Ａ：スライド部材
１６、１６Ａ：フィルタ布支持片
１７：ロール支持部
１８：把手
２０：フィルタ布
２１：シェルフ
２２：ファンユニット支持部材
２３：ファンユニット
２４：レール部材
２５：エアフィルタ
２６：フィルタ外枠
３０：通信装置
３１：電子装置
３２：筐体
３３：カード型電子回路
３４：ガイドレール
３５：ファンユニット
３６：エアフィルタ
３７：シェルフ
【図１】
2006159026.tif 000003
【図２】
2006159026.tif 000004
【図３】
2006159026.tif 000005
【図４】
2006159026.tif 000006